(57)【要約】      （修正有）【課題】体積が小さく、携帯して利用することができ、小範囲の空間の温度を有効に降下することが可能なポータブルマイクロエアコンを提供する。【解決手段】マイクロエアコン１は、底ディスク１１１と、複数のサイドプレート１１２と、上蓋１１３と、を有するシェル１１と、マイクロエアコン１全体の動作を制御するコントローラーと、底ディスク１１１の第２の収容区から引き出し可能な貯水盤と、底ディスク１１１の第２の収容区に設けられており、貯水盤の上方に位置し、水収集区と、非水収集区とが形成されている排水盤と、シェル１１の内部に設けられており、圧縮機と、凝縮器と、蒸発器と、毛細管と、少なくとも一つの低圧銅管と、少なくとも一つの高圧銅管とを直列に接続して構成される冷凍サイクルシステムと、それぞれシェル１１の内部の何れかの位置に設けられており、コントローラーと電気的に接続する二つの送風装置と、を備える。【選択図】図１
0003229172.tif 000002
【実用新案登録請求の範囲】
【請求項１】
マイクロエアコンであって、
底ディスクと、複数のサイドプレートと、上蓋と、を有し、前記底ディスクには、第１の収容区と、第２の収容区と、冷却空気通路とが設けられており、前記複数のサイドプレートは、前記底ディスクの周囲に設けられており、前記上蓋は、これらの前記サイドプレートの上方に設けられており、これにより、シェルの内部に収容空間が形成され、前記シェルの正面の下方に冷却空気通路口が設けられており、前記冷却空気通路口は前記冷却空気通路に対応し、前記シェルの背面に放熱穴が設けられている前記シェルと、
前記シェルの内部の何れかの位置に設けられており、前記マイクロエアコン全体の動作を制御するコントローラーと、
前記底ディスクの前記第２の収容区から引き出し可能な貯水盤と、
前記底ディスクの前記第２の収容区に設けられており、前記貯水盤の上方に位置し、水収集区と、非水収集区とが形成されており、前記水収集区には、排水通路と、排水穴とが設けられており、前記排水穴は前記貯水盤の位置に対応する排水盤と、
前記シェルの内部に設けられており、前記コントローラーと電気的に接続し、圧縮機と、凝縮器と、蒸発器と、毛細管と、少なくとも一つの低圧銅管と、少なくとも一つの高圧銅管とを直列に接続して構成され、前記圧縮機は、前記シェルの前記底ディスクの前記第１の収容区に設けられており、前記凝縮器は前記排水盤の前記非水収集区に設けられており、前記蒸発器は前記排水盤の前記水収集区の上方に設けられており、前記高圧銅管の一段は、前記排水盤の前記排水通路に設けられている冷凍サイクルシステムと、
それぞれ前記シェルの内部の何れかの位置に設けられており、前記コントローラーと電気的に接続する二つの送風装置と、
を備えることを特徴とするポータブルマイクロエアコン。
【請求項２】
前記シェルの上方にハンドルが設けられていることを特徴とする、請求項１に記載のポータブルマイクロエアコン。
【請求項３】
前記シェルの上蓋の上方に操作制御インターフェースが設けられており、前記操作制御インターフェースは、前記コントローラーと電気的に接続することを特徴とする、請求項１に記載のポータブルマイクロエアコン。
【請求項４】
前記マイクロエアコンには、更に、リモコン送信ユニットが設けられており、前記リモコン送信ユニットは、前記操作制御インターフェースと連結し、前記操作制御インターフェースと通信して、離れたところで操作命令を実行することができることを特徴とする、請求項３に記載のポータブルマイクロエアコン。
【請求項５】
前記リモコン送信ユニットは、リモートコントローラー、又はモバイルデバイスであることを特徴とする、請求項４に記載のポータブルマイクロエアコン。
【請求項６】
更に、少なくとも一つの検出装置が設けられており、前記検出装置は、前記マイクロエアコンの周囲に物体があるかどうかを検出して、自動的にオン又はオフをするためのものであり、前記シェルの正面の何れかの位置に設けられており、前記検出装置は前記コントローラーと電気的に接続することを特徴とする、請求項１に記載のポータブルマイクロエアコン。
【請求項７】
更に、少なくとも一つのマイナスイオン装置が設けられており、前記マイナスイオン装置は、マイナスイオンを含有する清浄な空気を放出するためのものであり、前記シェルの内部の何れかの位置に設けられており、前記コントローラーと電気的に接続することを特徴とする、請求項１に記載のポータブルマイクロエアコン。
【請求項８】
その正面および左右側には、少なくとも一つのろ過装置がそれぞれ設けられていることを特徴とする、請求項１に記載のポータブルマイクロエアコン。
【請求項９】
更に、貯水箱が設けられており、前記貯水箱は、前記シェルの前記底ディスクの下方に脱着可能に設けられており、前記貯水箱は前記貯水盤と連通することを特徴とする、請求項１に記載のポータブルマイクロエアコン。
【請求項１０】
前記貯水箱に水位ディテクターが設けられており、前記水位ディテクターは、前記貯水箱内の水位をいつでも検出することができ、前記マイクロエアコン全体の動作を適時に停止するためのものであることを特徴とする、請求項９に記載のポータブルマイクロエアコン。
【考案の詳細な説明】
【技術分野】
【０００１】
本考案は、空気調和機器に関し、特に、ポータブルマイクロエアコンに関するものである。
【背景技術】
【０００２】
建築物に設けられている空気調和機は、壁に固定されて、室内の空気の温度を降下することができる。このような空気調和機は、体積が大きく、消費エネルギーを有効に節約することができず、任意に移動し、又は携帯して利用することができず、価格が高く、電力の消費が多いという問題があった。
【考案の概要】
【考案が解決しようとする課題】
【０００３】
本考案の主な目的は、体積が小さく、携帯して利用することができ、小範囲の空間の温度を有効に降下することが可能なポータブルマイクロエアコンを提供することにある。
【課題を解決するための手段】
【０００４】
本考案に係るポータブルマイクロエアコンによると、底ディスクと、複数のサイドプレートと、上蓋と、を有し、底ディスクには、第１の収容区と、第２の収容区と、冷却空気通路とが設けられており、複数のサイドプレートは、底ディスクの周囲に設けられており、上蓋は、これらのサイドプレートの上方に設けられており、これにより、シェルの内部に収容空間が形成され、シェルの正面の下方に冷却空気通路口が設けられており、冷却空気通路口は冷却空気通路に対応し、シェルの背面に放熱穴が設けられているシェルと、シェルの内部の何れかの位置に設けられており、マイクロエアコン全体の動作を制御するコントローラーと、底ディスクの第２の収容区から引き出し可能な貯水盤と、底ディスクの第２の収容区に設けられており、貯水盤の上方に位置し、排水盤には、水収集区と、非水収集区とが形成されており、水収集区には、排水通路と、排水穴とが設けられており、排水穴は貯水盤の位置に対応する排水盤と、シェルの内部に設けられており、コントローラーと電気的に接続し、圧縮機と、凝縮器と、蒸発器と、毛細管と、少なくとも一つの低圧銅管と、少なくとも一つの高圧銅管とを直列に接続して構成され、圧縮機は、シェルの底ディスクの第１の収容区に設けられており、凝縮器は排水盤の非水収集区に設けられており、蒸発器は排水盤の水収集区の上方に設けられており、高圧銅管の一段は、排水盤の排水通路に設けられている冷凍サイクルシステムと、それぞれシェルの内部の何れかの位置に設けられており、コントローラーと電気的に接続する二つの送風装置と、を備えることを特徴とする。
【０００５】
本考案に係るポータブルマイクロエアコンによると、シェルの上方にハンドルが設けられていることを特徴とする。
【０００６】
本考案に係るポータブルマイクロエアコンによると、シェルの上蓋の上方に操作制御インターフェースが設けられており、操作制御インターフェースは、コントローラーと電気的に接続することを特徴とする。
【０００７】
本考案に係るポータブルマイクロエアコンによると、マイクロエアコンには、更に、リモコン送信ユニットが設けられており、リモコン送信ユニットは、操作制御インターフェースと連結し、操作制御インターフェースと通信して、離れたところで操作命令を実行することができることを特徴とする。
【０００８】
本考案に係るポータブルマイクロエアコンによると、リモコン送信ユニットは、リモートコントローラー、又はモバイルデバイスであることを特徴とする。
【０００９】
本考案に係るポータブルマイクロエアコンによると、更に、少なくとも一つの検出装置が設けられており、検出装置は、マイクロエアコンの周囲に物体があるかどうかを検出して、自動的にオン又はオフをするためのものであり、シェルの正面の何れかの位置に設けられており、検出装置はコントローラーと電気的に接続することを特徴とする。
【００１０】
本考案に係るポータブルマイクロエアコンによると、更に、少なくとも一つのマイナスイオン装置が設けられており、マイナスイオン装置は、マイナスイオンを含有する清浄な空気を放出するためのものであり、シェルの内部の何れかの位置に設けられており、コントローラーと電気的に接続することを特徴とする。
【００１１】
本考案に係るポータブルマイクロエアコンによると、その正面および左右側には、少なくとも一つのろ過装置がそれぞれ設けられていることを特徴とする。
【００１２】
本考案に係るポータブルマイクロエアコンによると、更に、貯水箱が設けられており、貯水箱は、シェルの底ディスクの下方に脱着可能に設けられており、貯水箱は貯水盤と連通することを特徴とする。
【００１３】
本考案に係るポータブルマイクロエアコンによると、貯水箱に水位ディテクターが設けられており、水位ディテクターは、貯水箱内の水位をいつでも検出することができ、マイクロエアコン全体の動作を適時に停止するためのものであることを特徴とする。
【考案の効果】
【００１４】
本考案に係るポータブルマイクロエアコンによれば、次のような効果がある。
（１）本考案に係るマイクロエアコンは、体積が小さく、携帯して利用することができ、エネルギーを節約することができ、価格が低く、小範囲の空間の温度を有効に降下することが可能である。従来の空気調和機は、体積が大きく、消費エネルギーを有効に節約することができず、任意に移動し、又は携帯して利用することができず、価格が高く、電力の消費が多いという問題を解決することができる。
【００１５】
（２）冷凍サイクルシステムの高圧銅管の一段は、排水盤の水収集区の排水通路内に設けられていることにより、蒸発器の余分な結露による水が除去されて、残る水は、排水盤の水収集区の排水穴を経由して、貯水盤に流れ込む。これにより、空気調和の凝縮による水が多すぎるという問題を解決することができる。
【００１６】
（３）マイクロエアコンに設けられているろ過装置により、環境の空気における細菌や微生物の除去、吸着および殺菌などの作業が行われる。そしてマイナスイオン装置により、マイナスイオンを含有する清浄な空気が放出され、ユーザーの呼吸をスムーズにすることができ、体の細胞を活化することができ、体を鍛錬するときに、呼吸が更にスムーズになる。
【００１７】
（４）シェルの上方に設けられているハンドルにより、ユーザーは、マイクロエアコンを携帯して外出して、必要な場所で利用することができる。
【００１８】
（５）マイクロエアコンの下方に貯水箱２が増設されている場合には、貯水箱に設けられている水位ディテクターにより、貯水箱の水位をいつでも検出することができ、マイクロエアコン全体の動作を適時に停止することができる。
【００１９】
（６）マイクロエアコンには、更に、リモコン送信ユニットが設けられている。リモコン送信ユニットは、操作制御インターフェースと連結し、操作制御インターフェースと通信して、遠い距離または近い距離で、各種の操作命令を実行することができる。リモコン送信ユニットは、リモートコントローラー、又はモバイルデバイスである。
【図面の簡単な説明】
【００２０】
【図１】本考案に係るポータブルマイクロエアコンの第１の実施例の構成を示す図である。
【図２】本考案に係るポータブルマイクロエアコンを示す分解斜視図である。
【図３】本考案に係るポータブルマイクロエアコンの内部を示す平面図である。
【図４】本考案に係るポータブルマイクロエアコンの冷凍サイクルシステムを示す図である。
【図５】本考案に係るポータブルマイクロエアコンのハンドルの第１の形態を示す図である。
【図６】本考案に係るポータブルマイクロエアコンのハンドルの第２の形態を示す図である。
【図７】本考案に係るポータブルマイクロエアコンのハンドルの第３の形態を示す図である。
【図８】本考案に係るポータブルマイクロエアコンの第１の実施例のリモコン送信ユニットとマイクロエアコンとの使用状態を示す図である。
【図９】本考案に係るポータブルマイクロエアコンの第２の実施例の構成を示す図である。
【図１０】本考案に係るポータブルマイクロエアコンの貯水箱を示す斜視図である。
【図１１】本考案に係るポータブルマイクロエアコンの第２の実施例のリモコン送信ユニットとマイクロエアコンとの使用状態を示す図である。
【考案を実施するための形態】
【００２１】
以下、本考案の実施の形態を図面に基づいて説明する。
【００２２】
図１から図８を参照しながら、本考案に係るポータブルマイクロエアコンの第１の実施例の構成を説明する。マイクロエアコン１は、シェル１１と、コントローラー１２と、貯水盤１３と、排水盤１４と、冷凍サイクルシステム１５と、二つの送風装置１６と、を備える。
【００２３】
シェル１１は、底ディスク１１１と、複数のサイドプレート１１２と、上蓋１１３と、を備える。底ディスク１１１には、第１の収容区１１１１と、第２の収容区１１１２と、冷却空気通路１１１３と形成がされている。第１の収容区１１１１と第２の収容区１１１２とは、所定形状を呈する。複数のサイドプレート１１２は、底ディスク１１１の周囲に設けられている。上蓋１１３は、複数のサイドプレート１１２の上方に設けられている。これにより、シェル１１の内部に収容空間１１０が形成される。シェル１１の正面の下方に冷却空気通路口１１２１が設けられている。冷却空気通路口１１２１は冷却空気通路１１１３に対応する。シェル１１の背面に放熱穴１１２２が設けられている。特に、サイドプレート１１２が二つあってもよい。サイドプレート１１２が二つある場合には、サイドプレート１１２の形状がＵ字形、コ字形、Ｌ字形、又はその他の形状を呈する。本実施例に係るサイドプレート１１２は、二つあり、コ字形を呈する。或いは、サイドプレート１１２が四つあってもよい。サイドプレート１１２が四つある場合には、サイドプレート１１２が底ディスク１１１の周囲を囲む。
【００２４】
コントローラー１２は、シェル１１の内部の何れかの位置に設けられており、マイクロエアコン１全体の動作を制御するためのものである。
【００２５】
貯水盤１３は、底ディスク１１１の第２の収容区１１１２から引き出し可能に設けられている。貯水盤１３の外観の輪郭は、底ディスク１１１の第２の収容区１１１２の形状に合う。貯水盤１３内に貯水空間１３０が規定されている。貯水盤１３の上面に貫通孔１３１が設けられている。貫通孔１３１は貯水空間１３０と連通する。
【００２６】
排水盤１４は、底ディスク１１１の第２の収容区１１１２に設けられており、貯水盤１３の上方に位置する。排水盤１４には、水収集区１４１と、非水収集区１４２とが形成されている。水収集区１４１には、排水通路１４１１と、排水穴１４１２とが設けられている。排水穴１４１２は、貯水盤１３の貫通孔１３１に対応する。本実施例に係るコントローラー１２は、貯水盤１３の非水収集区１４２に固定されている。
【００２７】
冷凍サイクルシステム１５は、シェル１１の内部に設けられており、コントローラー１２と電気的に接続する。冷凍サイクルシステム１５は、圧縮機１５１と、凝縮器１５２と、蒸発器１５３と、少なくとも一つの毛細管１５４と、少なくとも一つの低圧銅管１５５と、少なくとも一つの高圧銅管１５６とを直列に接続して構成される。圧縮機１５１は、シェル１１の底ディスク１１１の第１の収容区１１１１に設けられている。第１の収容区１１１１には、更に、設置空間１１１１１が設けられている。設置空間１１１１１に圧縮機１５１が固定されている。設置空間１１１１１の外観の輪郭は、圧縮機１５１の足の形状に合う。圧縮機１５１はマイクロ圧縮機を採用する。マイクロ圧縮機は、マイクロ直流インバーター圧縮機を採用する。これにより、マイクロ直流インバーター圧縮機は、室内の電源を利用することができ、体積が小さく、室内の小範囲の区域の温度を降下する動力として利用することが可能である。また、凝縮器１５２は、排水盤１４の非水収集区１４２に固定されている。凝縮器１５２は、ほぼ円弧形を呈する。蒸発器１５３は、排水盤１４の水収集区１４１の上方に固定されている。高圧銅管１５６の一段は、排水盤１４の排水通路１４１１に設けられている。
【００２８】
二つの送風装置１６は、それぞれシェル１１の内部の何れかの位置に設けられており、コントローラー１２と電気的に接続する。二つの送風装置１６の一方は、冷凍サイクルシステム１５の凝縮器１５２に設けられており、シェル１１の放熱穴１１２２に対応し、他方は冷凍サイクルシステム１５の蒸発器１５３に設けられている。送風装置１６は、市販しているものの構成を採用するが、本考案はこれに限定されない。
【００２９】
シェル１１の上方にハンドル１１４が設けられている。ハンドル１１４は、図５に示す隠れ式の短い形態、図６に示す隠れ式の長い形態、又は図７に示す露出式の長い形態を採用する。ハンドル１１４により、マイクロエアコン１を携帯して、必要な箇所に移動して利用することができる。
【００３０】
シェル１１の上蓋１１３の上方に操作制御インターフェース１１３１が設けられている。操作制御インターフェース１１３１は、コントローラー１２と電気的に接続する。操作制御インターフェース１１３１は、さまざまなオプション（例えばスイッチ、電源インジケーター、温度調整、満水警告、急速冷却、スクリーンロック、ガードネットクリーニング、空気クリーニングモードなど）を有する、機能操作区１１３１１と、表示区１１３１２と、を有する。ユーザーは、必要によって操作することが可能である。
【００３１】
マイクロエアコン１には、更に、リモコン送信ユニット１７が設けられている。リモコン送信ユニット１７は、操作制御インターフェース１１３１と連結し、操作制御インターフェース１１３１と通信して、遠い距離または近い距離で、各種の操作命令を実行することができる。リモコン送信ユニット１７は、図８に示すように、リモートコントローラー、又はモバイルデバイスである。リモコン送信ユニット１７はモバイルデバイスである場合に、モバイルデバイスは各種の操作命令を実行する操作制御インターフェースを有する。操作制御インターフェースは、ＡＰＰアプリケーションソフトウェアを採用し、これには、Ｍｉｃｒｏｓｏｆｔ（登録商標）のＷｉｎｄｏｗｓ（登録商標）オペレーティングシステム、Ｇｏｏｇｌｅ（登録商標）のＡｎｄｒｏｉｄ（登録商標）オペレーティングシステム、およびＡｐｐｌｅ（登録商標）のｉＯＳオペレーティングシステムが含まれ、その主な機能は、ユーザーがモバイルデバイスの操作制御インターフェースをタッチして、操作および設定を行うことができる。
【００３２】
マイクロエアコン１には、更に、少なくとも一つの検出装置１８が設けられている。検出装置１８は、マイクロエアコン１の周囲に物体があるかどうかを検出して、マイクロエアコンを自動的にオン又はオフするためのものである。検出装置１８は、シェル１１の正面の何れかの位置に設けられており、コントローラー１２と電気的に接続する。検出装置１８がマイクロエアコン１の周囲に位置する物体の移動や存在を検出すると、マイクロエアコン１に命令を伝送し、マイクロエアコン１のコントローラー１２が命令を受けた後、マイクロエアコン１を駆動する。逆に、検出装置１８が、マイクロエアコン１の周囲に、物体の移動や存在がないと検知すると、マイクロエアコン１に命令を伝送し、マイクロエアコン１のコントローラー１２が命令を受けた後、マイクロエアコン１の駆動を停止する。検出装置１８は、市販しているものの構成を採用してもいいが、本考案はこれに限定されない。
【００３３】
マイクロエアコン１には、更に、少なくとも一つのマイナスイオン装置１９が設けられている。マイナスイオン装置１９は、マイナスイオンを含有する清浄な空気を放出するためのものであり、ユーザーの呼吸をスムーズにすることができ、体の細胞を活化することができる。体を鍛錬するときに、呼吸が更にスムーズになる。マイナスイオン装置１９は、シェル１１の内部の何れかの位置に設けられており、コントローラー１２と電気的に接続する。マイナスイオン装置１９は、市販しているものの構成を採用してもいいが、本考案はこれに限定されない。
【００３４】
マイクロエアコン１の正面と左右側とには、少なくとも一つのろ過装置１１５がそれぞれ設けられている。ろ過装置１１５は、ろ過本体１１５１と、ろ過蓋１１５２と、を備える。ろ過蓋１１５２は、ろ過本体１１５１に組付けられている。ろ過装置１１５のろ過蓋１１５２により、環境の空気における細菌や微生物の除去、吸着および殺菌などの作業が行われる。
【００３５】
図９から図１１及び図２から図７を参照しながら、本考案に係るポータブルマイクロエアコンの第２の実施例の構成を説明する。マイクロエアコン１は、シェル１１と、コントローラー１２と、貯水盤１３と、排水盤１４と、冷凍サイクルシステム１５と、二つの送風装置１６と、貯水箱２と、を備える。
【００３６】
シェル１１は、底ディスク１１１と、複数のサイドプレート１１２と、上蓋１１３と、を備える。底ディスク１１１には、第１の収容区１１１１と、第２の収容区１１１２と、冷却空気通路１１１３とが形成されている。第１の収容区１１１１と第２の収容区１１１２とは、所定形状を呈する。複数のサイドプレート１１２は、底ディスク１１１の周囲に距離を置いて配列されている。上蓋１１３は、複数のサイドプレート１１２の上方に設けられていることにより、シェル１１の内部に収容空間１１０が形成される。シェル１１の正面の下方に冷却空気通路口１１２１が設けられている。冷却空気通路口１１２１は冷却空気通路１１１３に対応する。シェル１１の背面に放熱穴１１２２が設けられている。特に、サイドプレート１１２は、二つある場合には、その形状が、Ｕ字形、コ字形、Ｌ字形、又はその他の形状を呈する。本実施例では、サイドプレート１１２は、二つあり、コ字形を呈する。サイドプレート１１２は四つあってもよい。サイドプレート１１２が四つある場合には、これらは底ディスク１１１の周囲を囲むように設けられている。
【００３７】
コントローラー１２は、シェル１１の内部の何れかの位置に設けられており、マイクロエアコン１全体の動作を制御するためのものである。
【００３８】
貯水盤１３は、底ディスク１１１の第２の収容区１１１２から引き出し可能に設けられている。貯水盤１３の外観の輪郭は、底ディスク１１１の第２の収容区１１１２の形状に合う。貯水盤１３内に貯水空間１３０が規定されている。貯水盤１３の上面に貫通孔１３１が設けられている。貫通孔１３１は貯水空間１３０と連通する。
【００３９】
排水盤１４は、底ディスク１１１の第２の収容区１１１２に設けられており、貯水盤１３の上方に位置する。排水盤１４には、水収集区１４１と、非水収集区１４２とが形成されている。水収集区１４１には、排水通路１４１１と、排水穴１４１２とが設けられている。排水穴１４１２は、貯水盤１３の貫通孔１３１に対応する。本実施例では、コントローラー１２が貯水盤１３の非水収集区１４２に固定されている。
【００４０】
冷凍サイクルシステム１５は、シェル１１の内部に設けられており、コントローラー１２と電気的に接続する。冷凍サイクルシステム１５は、圧縮機１５１と、凝縮器１５２と、蒸発器１５３と、少なくとも一つの毛細管１５４と、少なくとも一つの低圧銅管１５５と、少なくとも一つの高圧銅管１５６とを直列に接続して構成される。圧縮機１５１は、シェル１１の底ディスク１１１の第１の収容区１１１１上に設けられている。第１の収容区１１１１には、更に、設置空間１１１１１が設けられている。設置空間１１１１１に圧縮機１５１が固定されている。設置空間１１１１１の外観の輪郭は、圧縮機１５１の足の形状に合う。圧縮機１５１はマイクロ圧縮機を採用する。マイクロ圧縮機は、マイクロ直流インバーター圧縮機を採用することにより、室内の電源を利用して駆動されることが可能であり、体積が小さく、室内の小範囲の一部の温度降下の動力とすることができる。また、凝縮器１５２は、排水盤１４の非水収集区１４２に設けられており、固定状態にある。凝縮器１５２は、ほぼ円弧形を呈する。また、蒸発器１５３は、排水盤１４の水収集区１４１の上方に設けられており、固定状態にある。高圧銅管１５６の一段は、排水盤１４の排水通路１４１１に設けられている。
【００４１】
二つの送風装置１６は、それぞれシェル１１の内部の何れかの位置に設けられており、コントローラー１２と電気的に接続する。送風装置１６は、その一方が、冷凍サイクルシステム１５の凝縮器１５２に設けられており、シェル１１の放熱穴１１２２に対応し、他方が冷凍サイクルシステム１５の蒸発器１５３に設けられている。送風装置１６は、市販しているものの構成を採用してもいいが、本考案はこれに限定されない。
【００４２】
貯水箱２は、シェル１１の底ディスク１１１の下方に脱着可能に設けられている。貯水箱２は、貯水盤１３と連通することにより、貯水盤１３内に貯蔵する水が貯水箱２に流れ込むことができる。貯水箱２内に貯水空間２０が規定されている。貯水箱２の上面に貫通孔２１が設けられている。貫通孔２１は貯水空間２０と連通する。貯水箱２は、市販しているものの構成を採用してもいいが、本考案はこれに限定されない。貯水箱２に水位ディテクター２２が設けられている。水位ディテクター２２は、貯水箱２の上面に設けられており、貯水箱２の水位をいつでも検出するために使用されるものであり、マイクロエアコン１全体の動作を適時に停止することができる。水位ディテクター２２は、市販しているものの構成を採用してもいいが、本考案はこれに限定されない。
【００４３】
シェル１１の上方にハンドル１１４が設けられている。ハンドル１１４の形態は、図５に示す隠れ式の短い形態、図６に示す隠れ式の長い形態、又は図７に示す露出式の長い形態を採用する。ハンドル１１４により、マイクロエアコン１を携帯して、必要な箇所に移動して利用することができる
【００４４】
シェル１１の上蓋１１３の上方に操作制御インターフェース１１３１が設けられている。操作制御インターフェース１１３１は、コントローラー１２と電気的に接続する。操作制御インターフェース１１３１は、さまざまなオプション（例えばスイッチ、電源インジケーター、温度調整、満水警告、急速冷却、スクリーンロック、ガードネットクリーニング、空気クリーニングモードなど）を有する、機能操作区１１３１１と、表示区１１３１２と、を有する。ユーザーは、必要によって操作することが可能である。
【００４５】
マイクロエアコン１には、更に、リモコン送信ユニット１７が設けられている。リモコン送信ユニット１７は、操作制御インターフェース１１３１と連結し、操作制御インターフェース１１３１と通信して、遠い距離または近い距離で、各種の操作命令を実行することができる。リモコン送信ユニット１７は、図１１に示すように、リモートコントローラー、又はモバイルデバイスである。リモコン送信ユニット１７はモバイルデバイスである場合に、モバイルデバイスは各種の操作命令を実行する操作制御インターフェースを有する。操作制御インターフェースは、ＡＰＰアプリケーションソフトウェアを採用し、これには、Ｍｉｃｒｏｓｏｆｔ（登録商標）のＷｉｎｄｏｗｓ（登録商標）オペレーティングシステム、Ｇｏｏｇｌｅ（登録商標）のＡｎｄｒｏｉｄ（登録商標）オペレーティングシステム、およびＡｐｐｌｅ（登録商標）のｉＯＳオペレーティングシステムが含まれ、その主な機能は、ユーザーがモバイルデバイスの操作制御インターフェースをタッチして、操作および設定を行うことができる。
【００４６】
マイクロエアコン１には、更に、少なくとも一つの検出装置１８が設けられている。検出装置１８は、マイクロエアコン１の周囲に物体があるかどうかを検出して、マイクロエアコンを自動的にオン又はオフするためのものである。検出装置１８は、シェル１１の正面の何れかの位置に設けられており、コントローラー１２と電気的に接続する。検出装置１８がマイクロエアコン１の周囲に位置する物体の移動や存在を検出すると、マイクロエアコン１に命令を伝送し、マイクロエアコン１のコントローラー１２が命令を受けた後、マイクロエアコン１を駆動する。逆に、検出装置１８が、マイクロエアコン１の周囲に、物体の移動や存在がないと検知すると、マイクロエアコン１に命令を伝送し、マイクロエアコン１のコントローラー１２が命令を受けた後、マイクロエアコン１の駆動を停止する。検出装置１８は、市販しているものの構成を採用してもいいが、本考案はこれに限定されない。
【００４７】
マイクロエアコン１には、更に、少なくとも一つのマイナスイオン装置１９が設けられている。マイナスイオン装置１９は、マイナスイオンを含有する清浄な空気を放出するためのものであり、ユーザーの呼吸をスムーズにすることができ、体の細胞を活化することができ、体を鍛錬するときに、呼吸が更にスムーズになる。マイナスイオン装置１９は、シェル１１の内部の何れかの位置に設けられており、コントローラー１２と電気的に接続する。マイナスイオン装置１９は、市販しているものの構成を採用してもいいが、本考案はこれに限定されない。
【００４８】
マイクロエアコン１の正面と左右側とには、少なくとも一つのろ過装置１１５がそれぞれ設けられている。ろ過装置１１５は、ろ過本体１１５１と、ろ過蓋１１５２と、を備える。ろ過蓋１１５２は、ろ過本体１１５１に組付けられている。ろ過装置１１５のろ過蓋１１５２により、環境の空気における細菌や微生物の除去、吸着および殺菌などの作業が行われる。
【００４９】
図１から図１１を参照しながら、本考案に係るポータブルマイクロエアコンの実施例の使用状態を説明する。マイクロエアコン１は、シェル１１と、コントローラー１２と、貯水盤１３と、排水盤１４と、冷凍サイクルシステム１５と、二つの送風装置１６と、を備える。シェル１１、コントローラー１２、貯水盤１３、排水盤１４、冷凍サイクルシステム１５及び二つの送風装置１６の全体の構成は、説明したため、説明を省略した。
【００５０】
本考案に係るマイクロエアコン１は、体積が小さく、重量が軽く、シェル１１の上方にハンドル１１４が設けられている。ハンドル１１４により、ユーザーは、マイクロエアコン１を携帯して外出して、小範囲の空間（例えばトイレ、個人用デスク、ワードローブ、ロッカーなど）、ベビーカー、車、ペット用ベッドなどの場所で利用することができる。これにより、本考案に係るポータブルマイクロエアコンは、小範囲の空間を空気調和し、又は除湿することができる。操作制御インターフェース１１３１の機能操作区１１３１１を操作することにより、コントローラー１２全体の動作を制御することができる。二つの送風装置１６を回転させて、二つの送風装置１６により発生される気流は、外部からマイクロエアコン１の正面及び左右側にそれぞれ設けられているろ過装置１１５を経由して、マイクロエアコン１の内部に吸い込まれて、冷凍サイクルシステム１５により、熱交換が行われる。冷凍サイクルシステム１５の凝縮器１５２に位置する送風装置１６により、熱い空気はシェル１１の放熱穴１１２２から排出される。冷凍サイクルシステム１５の蒸発器１５３に位置する送風装置１６により、冷い空気は、底ディスク１１１の冷却空気通路１１１３を経由して、冷却空気通路口１１２１から排出される。このように、小範囲の空間を空気調和し、又は除湿することができる。特に、ユーザーは、必要によって冷却空気通路口１１２１にエアダクトを増設してもよい。
【００５１】
冷凍サイクルシステム１５の高圧銅管１５６の一段は、排水盤１４の水収集区１４１の排水通路１４１１内に設けられていることにより、蒸発器１５３の余分な結露による水が除去されて、残る水は、排水盤１４の水収集区１４１の排水穴１４１２を経由して、貯水盤１３に流れ込む。更に、マイクロエアコン１の下方に貯水箱２が増設されている場合には、貯水箱２が貯水盤１３と連通するため、貯水盤１３内にある水は貯水箱２の貯水空間２０に流れ込み、貯水箱２に設けられている水位ディテクター２２により、貯水箱２の水位をいつでも検出することができ、マイクロエアコン１全体の動作を適時に停止することができる。すなわち、どのような構成を採用しても、空気調和の凝縮による水が多すぎるという問題を解決することができる。
【００５２】
また、二つの送風装置１６で発生される気流は、外部からマイクロエアコン１の正面および左右側にそれぞれ設けられているろ過装置１１５を経由して、マイクロエアコン１の内部に吸い込まれる。ろ過装置１１５により、環境の空気における細菌や微生物の除去、吸着および殺菌などの作業が行われる。そしてマイナスイオン装置１９により、マイナスイオンを含有する清浄な空気が放出され、ユーザーの呼吸をスムーズにすることができ、体の細胞を活化することができ、体を鍛錬するときに、呼吸が更にスムーズになる。
【００５３】
また、ユーザーの操作を更に便利にするために、マイクロエアコン１には、更に、リモコン送信ユニット１７が設けられている。リモコン送信ユニット１７は、操作制御インターフェース１１３１と連結し、操作制御インターフェース１１３１と通信して、遠い距離または近い距離で、各種の操作命令を実行することができる。リモコン送信ユニット１７は、リモートコントローラー、又はモバイルデバイスである。
【符号の説明】
【００５４】
１  マイクロエアコン
２  貯水箱
１１  シェル
１２  コントローラー
１３  貯水盤
１４  排水盤
１５  冷凍サイクルシステム
１６  送風装置
１７  リモコン送信ユニット
１８  検出装置
１９  マイナスイオン装置
２０  貯水空間
２１  貫通孔
２２  水位ディテクター
１１０  収容空間
１１１  底ディスク
１１２  サイドプレート
１１３  上蓋
１１４  ハンドル
１１５  ろ過装置
１３０  貯水空間
１３１  貫通孔
１４１  水収集区
１４２  非水収集区
１５１  圧縮機
１５２  凝縮器
１５３  蒸発器
１５４  毛細管
１５５  低圧銅管
１５６  高圧銅管
１１１１  第１の収容区
１１１２  第２の収容区
１１１３  冷却空気通路
１１２１  冷却空気通路口
１１２２  放熱穴
１１３１  操作制御インターフェース
１１５１  ろ過本体
１１５２  ろ過蓋
１４１１  排水通路
１４１２  排水穴
１１１１１  設置空間
１１３１１  機能操作区
１１３１２  表示区
【図１】
0003229172.tif 000003
【図２】
0003229172.tif 000004
【図３】
0003229172.tif 000005
【図４】
0003229172.tif 000006
【図５】
0003229172.tif 000007
【図６】
0003229172.tif 000008
【図７】
0003229172.tif 000009
【図８】
0003229172.tif 000010
【図９】
0003229172.tif 000011
【図１０】
0003229172.tif 000012
【図１１】
0003229172.tif 000013